(57)【要約】      （修正有）【課題】  １つの壁面設置用部材で、直列ユニットの、壁からの突出量を変えることが可能で，直列ユニットを壁に設置したときにかぶせる化粧プレート等の部材の流用性を高くし、他のユニットで用いる部材と共用することが可能な技術を提供する。【解決手段】  導電性のシールドケースの表面に、中心導体及び中心導体と同心的に設けられた外部導体からなる同軸ケーブル接続端子を複数個設けられた直列ユニットと、直列ユニットを設置する壁面設置用部材とを備え,直列ユニットは、壁面設置用部材を取り付ける面に、壁面設置用部材の一部を挿入して固定する開口部を有し、壁面設置用部材は、壁に固定する固定部及びシールドケースの開口部に挿入する挿入部からなる第１部材と、第１部材の挿入部に着脱可能な第２部材からなり、第２部材は、着脱可能であり、かつ、どちらの方向に第２部材を取り付けた状態でも挿入部をシールドケースの開口部に挿入可能な直列ユニットである。【選択図】図１
2005038745.tif 000002
【特許請求の範囲】
【請求項１】
導電性のシールドケースの表面に、中心導体及び前記中心導体と同心的に設けられた外部導体からなる同軸ケーブル接続端子を複数個設けた直列ユニットと、前記直列ユニットを壁に設置する壁面設置用部材とを備え、前記同軸ケーブル接続端子は、前記壁に設置したときに設置面から突出するように設けられた受信機接続用端子と、前記壁の内部空間あるいは前記設置面の裏面側に設けられた入出力端子からなる壁面取付用部材付き直列ユニットであって、
前記直列ユニットは、前記壁面設置用部材を取り付ける面に、前記壁面設置用部材の一部を挿入して固定する開口部を有し、
前記壁面設置用部材は、前記壁に固定する固定部及び前記シールドケースの開口部に挿入する挿入部からなる第１部材と、前記第１部材の挿入部に着脱可能な第２部材からなり、
前記第２部材は、前記第１部材の前記受信機接続用端子に近い方向、及び前記受信機接続用端子から遠い方向のそれぞれに着脱可能であり、かつ、どちらの方向に前記第２部材を取り付けた状態でも前記挿入部を前記シールドケースの開口部に挿入可能であることを特徴とする直列ユニット。
【請求項２】
前記壁面設置用部材は、前記直列ユニットに取り付けた状態で、第２部材が前記第１部材の前記受信機接続用端子に近い方向と、前記受信機接続用端子から遠い方向のどちらに取り付けられているか判別する手段を備えることを特徴とする請求項１に記載の直列ユニット。
【請求項３】
前記シールドケースは、前記受信機接続用端子が設けられた面、あるいは前記受信機接続用端子が設けられた面の近傍に、３つの化粧パネルを一列に並べて取り付けることが可能な３対の化粧パネル取付部が設けられていることを特徴とする請求項１または請求項２に記載の直列ユニット。
【請求項４】
前記直列ユニットの前記入出力端子は、前記中心導体の同心軸（中心軸）を回転軸として、９０度可動することを特徴とする請求項１乃至請求項３のいずれか１項に記載の直列ユニット。
【請求項５】
導電性のシールドケースの表面に、中心導体及び前記中心導体と同心的に設けられた外部導体からなる同軸ケーブル接続端子を複数個設けた直列ユニットと、前記直列ユニットを壁に設置する壁面設置用部材とを備え、前記同軸ケーブル接続端子は、前記壁に設置したときに設置面から突出するように設けられた受信機接続用端子と、前記壁の内部空間あるいは前記設置面の裏面側に設けられた入出力端子からなる壁面取付用部材付き直列ユニットであって、
前記壁面設置用部材または前記直列ユニットは、壁に設置したときの前記受信機接続用端子の突出量を切り替える手段を備えることを特徴とする直列ユニット。
【発明の詳細な説明】
【技術分野】
【０００１】
本発明は、室内に設置されたテレビ受像器等の受信機器と室外に設置されたテレビアンテナやテレビ放送用の信号線を同軸ケーブルで接続する際に用いる直列ユニットに関し、特に、室内の壁に埋め込んで設置するタイプの直列ユニットに適用して有効な技術に関するものである。
【背景技術】
【０００２】
従来、室内に設置したＴＶ受像器（テレビジョン受像器）でＴＶ信号を受信するときには、一般に、前記室内の壁面に設置された直列ユニットのＴＶ端子と前記ＴＶ受像器の端子を同軸ケーブルで接続する。前記直列ユニットは、導電性の筐体の表面に、中心導体及び前記中心導体と同心的に設けられた外部導体からなる接続端子が複数個設けられている。このとき、前記各接続端子の外部導体同士は、前記筐体により電気的に接続されている。また、前記各接続導体の中心導体同士は、前記筐体の内部空間に設けられたプリント配線板上の電気回路を介して電気的に接続されている。
【０００３】
前記直列ユニットは、一般に、前記室内の壁面に埋め込むように設置されている。このとき、前記直列ユニット１には、例えば、図２０乃至図２２に示すように、壁面設置用部材８が取り付けられており、前記壁面設置用部材８と壁４、もしくは前記壁に設置された箱状の部材（以下、アウトレットボックスと称する）をネジ等の固定部材で固定する。このとき、図示は省略するが、前記壁に埋め込まれた側の接続端子１０４，１０５には、前記壁４の内部空間、あるいは前記壁面設置用部材８を取り付けた面の裏面側に敷設された同軸ケーブルと接続する。以下、前記壁４の内部空間等に敷設された同軸ケーブルを接続する接続端子を入出力端子と称する。前記壁４の内部空間等に敷設された同軸ケーブルは、室外のテレビアンテナ等に接続されている。そのため、前記直列ユニット１の、前記壁面用設置部材８を設置した面に突出する受信機接続用端子１０２，１０３とテレビ受像器等の受信機の端子を同軸ケーブルで接続すれば、前記テレビ受像器と前記テレビアンテナ等が接続され、前記テレビ受像器でテレビ信号を受信することができる。
【０００４】
またこのとき、前記直列ユニット１及び前記壁面設置用部材８が剥き出しであると、室内の水分の進入により前記直列ユニット１や前記壁４の内部空間等に敷設された同軸ケーブルが腐食あるいは劣化したり、埃の進入によりショート（短絡）したりする危険性がある。また、前記直列ユニット１や前記壁面設置用部材８が剥き出しであると、外観上の見劣りがある。
【０００５】
そのため、前記直列ユニット１を壁４に設置するときには、例えば、図２３に示すように、前記受信機接続用端子１０２，１０３の周囲を覆うような化粧パネル７と、前記直列ユニット１及び壁面設置用部材８を覆うような化粧プレート５Ａ，５Ｂを被せ、室内の水分や埃等が前記壁の内部空間に進入するのを防ぐとともに、外観を美化している。
【０００６】
ここで用いられる化粧プレートには、大きく分けて、標準型とワイド型の２種類の化粧プレートがある。前記標準型化粧５Ａ，５Ｂプレートの場合、図２３に示した、前記壁４からの突出量Ｔ３は約８ｍｍである。また、前記ワイド型化粧プレートの場合、前記化粧プレートの接地面からの突出量Ｔ３ｗは約１０ｍｍである。そのため、前記直列ユニット１には、一般に、図２２に示した、前記直列ユニット１を壁に設置するときの設置面から前記直列ユニット１に取り付けた化粧パネルの先端面までの距離Ｔ２が８ｍｍになるように設計された標準型用の壁面設置用部材８、もしくは前記設置面から前記化粧パネルの先端面までの距離が１０ｍｍになるように設計されたワイド型用の壁面設置用部材のいずれかが取り付けられている。
【０００７】
このとき、例えば、前記標準型用の壁面設置用部材が取り付けられた直列ユニットを壁に取り付けた場合を考えると、前記標準型化粧プレートに加え、前記標準型化粧プレートよりも突出量が大きいワイド型化粧プレートを用いることが可能である。しかしながら、前記標準型用の壁面設置用部材を用いて前記直列ユニットを壁に設置し、ワイド型化粧プレートを被せた場合、図２４に示すように、前記化粧パネル７と前記ワイド型化粧プレート５Ｄ，５Ｅの境目５Ｆに段差あるいは隙間が生じる。このとき、前記化粧パネル７と前記化粧プレート５Ｄ，５Ｅの境目５Ｆに隙間が生じれば、室内の水分や埃等が壁の内部空間に進入しやすくなる。また、隙間が生じていなくても、段差があると、外観上の見劣りがある。そのため、前記ワイド型化粧プレート５Ｄ，５Ｅを用いる場合は、前記直列ユニットに取り付けられた前記標準型用の壁面設置用部材８を取り外して、前記ワイド型用の壁面設置用部材を取り付けなければならない。
【０００８】
一方、前記ワイド型用の壁面設置用部材が取り付けられた直列ユニットを壁に取り付けた場合を考えると、前記標準型化粧プレートを被せることも可能であるが、その場合、化粧パネル７が突出して、外観上の見劣りがある。
【０００９】
すなわち、従来の壁面設置用部材８では、被せる化粧プレートの種類に応じて、壁面設置用部材を付け替えなければならない。
【００１０】
また、前記直列ユニット１を壁４に設置する際に用いる壁面設置用部材８や化粧プレート７等は、例えば、ＡＣコンセントや照明のスイッチ、電話線端子等を壁に設置する際に用いる壁面設置用部材や化粧プレート等とサイズやデザイン、取付構造がよく似ている。そのため、一部の部材、例えば、前記化粧プレート等は、前記ＡＣコンセント等を壁に設置する際に用いる化粧プレート等と共用することが可能である。
【００１１】
しかしながら、前記ＡＣコンセントや照明のスイッチ等を設置するときの化粧プレートには、例えば、図２５に示すように、２つの開口部６Ｃを有する化粧プレート６を用いることが多い。このような２つ穴の化粧プレート６の場合、図２６に示すように、２つの穴６Ｃの間の部分６Ｂが、前記直列ユニット１に取り付けた化粧パネル７と干渉してうまく取り付けられない。そのため、前記直列ユニットの化粧プレートに流用することができない。
【発明の開示】
【発明が解決しようとする課題】
【００１２】
前記背景技術で説明したように、解決しようとする問題点は、前記直列ユニット１を壁４に設置するときに、前記直列ユニット１の、壁４からの突出量を変えるためには、２種類の壁面設置用部材を用意しなければならない点である。
【００１３】
また、他の問題点として、前記直列ユニット１を壁４に設置したときに被せる化粧プレート等の部材を、ＡＣコンセント等、同様の方法で壁に設置したユニットに被せる化粧プレート等の部材と共用することが難しいという点もある。
【００１４】
本発明の目的は、１つの壁面設置用部材で、直列ユニットの、壁からの突出量を変えることが可能な技術を提供することにある。
【００１５】
本発明の他の目的は、前記直列ユニットを壁に設置したときにかぶせる化粧プレート等の部材の流用性（汎用性）を高くし、同様の方法で設置する他のユニットで用いる部材と共用することが可能な技術を提供することにある。
【００１６】
本発明の前記ならびにその他の目的と新規な特徴は、本明細書の記述及び添付図面によって明らかになるであろう。
【課題を解決するための手段】
【００１７】
本願において開示される発明の概要を説明すれば、以下の通りである。
【００１８】
（１）  導電性のシールドケースの表面に、中心導体及び前記中心導体と同心的に設けられた外部導体からなる同軸ケーブル接続端子を複数個設けられた直列ユニットと、前記直列ユニットを設置する壁面設置用部材とを備え、前記同軸ケーブル接続端子は、前記壁に取り付けたときに設置面から突出するように設けられた受信機接続用端子と、前記壁の内部空間あるいは前記設置面の裏面側に設けられた入出力端子からなる壁面設置用部材付き直列ユニットであって、前記直列ユニットは、前記壁面設置用部材を取り付ける面に、前記壁面設置用部材の一部を挿入して固定する開口部を有し、前記壁面設置用部材は、前記壁に固定する固定部及び前記シールドケースの開口部に挿入する挿入部からなる第１部材と、前記第１部材の挿入部に着脱可能な第２部材からなり、前記第２部材は、前記第１部材の前記受信機接続用端子に近い方向、及び前記受信機接続用端子から遠い方向のそれぞれに着脱可能であり、かつ、どちらの方向に前記第２部材を取り付けた状態でも前記挿入部を前記シールドケースの開口部に挿入可能な直列ユニットである。
【００１９】
（２）  前記（１）の手段において、前記壁面設置用部材は、前記直列ユニットに取り付けた状態で、第２部材が前記第１部材の前記受信機接続端子に近い方向と、前記受信機接続端子から遠い方向のどちらに取り付けられているか判別する手段を備える。
【００２０】
（３）  前記（１）または（２）の手段において、前記シールドケースは、前記受信機接続用端子が設けられた面、あるいは前記受信機接続用端子が設けられた面の近傍に、３つの化粧パネルを一列に並べて取り付けることが可能な３対の化粧パネル取付部が設けられている。
【００２１】
（４）  前記（１）乃至（３）のいずれかの手段において、前記入出力端子は中心導体の同心軸（中心軸）を回転軸として、９０度可動する。
【００２２】
（５）  導電性のシールドケースの表面に、中心導体及び前記中心導体と同心的に設けられた外部導体からなる同軸ケーブル接続端子を複数個設けた直列ユニットと、前記直列ユニットを壁に設置する壁面設置用部材とを備え、前記同軸ケーブル接続端子は、前記壁に設置したときに設置面から突出するように設けられた受信機接続用端子と、前記壁の内部空間あるいは前記設置面の裏面側に設けられた入出力端子からなる壁面取付用部材付き直列ユニットであって、前記壁面設置用部材または前記直列ユニットは、壁に設置したときの前記受信機接続用端子の突出量を切り替える手段を備える。
【発明の効果】
【００２３】
本発明の壁面設置用部材付き直列ユニットは、前記（１）の手段のように、前記壁面設置用部材の第１部材の挿入部に、２通りの取り付け方が可能な前記第２部材を設けることにより、１つの壁面設置用部材で、前記直列ユニットの受信機接続用端子と前記壁面設置用部材の固定部の相対的な位置関係（距離）を２通りに設定することができる。すなわち、前記（１）の手段の壁面設置用部材付き直列ユニットは、前記壁面設置用部材を壁に取り付けたときに、前記受信機接続用端子の、前記壁からの突出量を２通りに設定することができる。そのため、前記第２部材の厚さが、例えば、従来の前記標準型化粧プレートの厚さと前記ワイド型化粧プレートの厚さの差に等しければ、１つの壁面設置用部材を、前記標準型及び前記ワイド型の両方の化粧プレートのそれぞれに対応した壁面設置用部材として用いることができる。
【００２４】
また、１つの壁面設置用部材で、前記標準型及びワイド型の両方の化粧プレートに対応させることができるので、どちらの化粧プレートを用いても、前記化粧プレートと前記直列ユニットに取り付ける化粧パネルの境目に、サイズが異なることに起因する段差や隙間が生じるのを防げる。そのため、水分や埃が進入しにくくなり、直列ユニットや接続した同軸ケーブルの劣化や腐食が起こりにくくなる。また、サイズが異なることに起因する段差をなくすことができ、外観上の見劣りがなくなる。
【００２５】
またこのとき、前記直列ユニットの開口部は、前記シールドケースに直接も受けられていてもよいし、前記シールドケースとは別に設けた部材を前記シールドケースに取り付けてもよい。
【００２６】
またこのとき、前記（２）の手段のように、前記壁面設置用部材を取り外すことなく、前記第２部材が取り付けられている方向を判別できる手段を設けることで、前記第２部材の取付方向を容易に確認することができる。また、前記第２部材が取り付けられている方向を判別できるので、２つ以上の壁面設置用部材が取り付けられているときに、それぞれの第２部材が同じ方向に取り付けられているか容易に確認することができる。
【００２７】
また、前記直列ユニットに取り付ける化粧パネルは、通常、１つであるが、その場合、ＡＣコンセント等で使用する２つ穴の化粧プレートを流用することができない。そのため、前記（３）の手段のように、３対の化粧パネル取付部を設ければ、従来１つであった化粧パネルを３つに分割することができる。このとき、前記各化粧パネル取付部に化粧パネルを取り付ければ、従来の１つの化粧パネルと同様の外形にできるので、従来から用いている化粧プレートを用いればよい。また、３つの化粧パネルのうち、中央の化粧パネルをはずせば、ＡＣコンセント等で利用している２つ穴の化粧プレートを用いることもできる。そのため、前記直列ユニットと同様の取付構造のユニットで用いる化粧プレート等の部材との共用範囲が広がり、流用性（汎用性）が高くなる。
【００２８】
また、前記直列ユニットは、前記（４）の手段のように、前記入出力端子が９０度可動する直列ユニットであってもよい。この場合、前記入出力端子に同軸ケーブルを接続するときにはケーブルを接続しやすい向きにすることができ、かつ、前記直列ユニットを壁に取り付けるときには同軸ケーブルが邪魔にならない向きにすることができる。
【００２９】
また、前記壁面設置用部材及び前記直列ユニットは、前記（１）の手段のような構成に限らず、前記（５）の手段のように、前記壁面設置用部材または前記直列ユニットが、壁に設置したときの前記受信機用接続端子の突出量を切り替える手段を備えていればよい。このとき、前記切り替える手段は、前記突出量を２通りだけでなく３通り以上に切り替えることができる手段であってもよい。また、連続的な無段階切り替えが可能な手段であってもよい。
【００３０】
以下、本発明について、図面を参照して実施の形態（実施例）とともに詳細に説明する。
なお、実施例を説明するための全図において、同一機能を有するものは、同一符号を付け、その繰り返しの説明は省略する。
【発明を実施するための最良の形態】
【００３１】
本発明の壁面設置用部材付き直列ユニットは、前記壁面設置用部材を第１部材と第２の部材の２つの部材にし、第２部材を第１部材に取り付けるときの取付方向を変えることで、前記直列ユニットの、壁からの突出量を変える。
【実施例】
【００３２】
図１乃至図５は、本発明による一実施例の壁面設置用部材付き直列ユニットの概略構成を示す模式図であり、図１は壁面設置用部材付き直列ユニットの構成を示す分解正面図、図２は図１の右側面図、図３（ａ）は図１に示した直列ユニットの裏面図、図３（ｂ）は図１に示した直列ユニットの上面図、図４（ａ）は壁面設置用部材の構成を示す正面図及び右側面図、図４（ｂ）は壁面設置用部材の第１部材の正面図及び右側面図、図４（ｃ）は壁面設置用部材の第２部材の正面図及び右側面図、図４（ｄ）は図４（ｃ）の正面図に対する裏面図、図５は壁面設置用部材の作用を説明するための模式図である。なお、各図の正面図、右側面図、裏面図、上面図は、図１に示した図を正面図と定義している。
【００３３】
図１乃至図５の各図において、１は直列ユニット、１０１はシールドケース、１０２，１０３は受信機接続用端子、１０４，１０５は入出力端子、１０６はフィルタースイッチ、１０７Ａ，１０７Ｂ，１０７Ｃは化粧パネル取付部、１Ａは第１の面、１Ｂは第２の面、１Ｃは第３の面、１Ｄは第４の面、１Ｅは壁面設置用部材挿入用の開口部、２は壁面設置用部材、２０１は第１部材、２０２は第２部材、２Ａは固定部、２Ｂは挿入部、３は化粧パネルである。
【００３４】
本実施例の壁面設置用部材付き直列ユニットは、図１及び図２に示すように、直列ユニット１と、前記直列ユニット１を室内の壁、あるいは前記室内の壁に取り付けられた箱状の部材（以下、アウトレットボックス）に設置するための壁面設置用部材２により構成されている。
【００３５】
また、前記直列ユニット１は、例えば、図１，図２，図３（ａ）に示すように、導電性のシールドケース１０１の第１の面１Ａに２つの受信機接続端子１０２，１０３が設けられ、第２の面１Ｂに２つの入出力端子１０４，１０５が設けられている。前記受信機接続端子１０２，１０３及び前記入出力端子１０４，１０５はそれぞれ、中心導体及び前記中心導体と同心的に設けられた外部導体を備える。このとき、前記各端子の中心導体同士は、前記シールドケース１０１の内部空間に設けられたプリント配線板（図示しない）により電気的に接続される。また、前記各端子の外部導体同士は、前記シールドケース１０１により電気的に接続される。
【００３６】
また、前記シールドケース１０１の前記第１の面１Ａには、例えば、図１に示したように、前記受信機接続端子１０２，１０３のフィルターのオン／オフを切り替えるスイッチ１０６が設けられている。
【００３７】
また、前記シールドケース１０１の、前記壁面設置用部材２と向かい合う面１Ｃ，１Ｄには、例えば、図２及び図３（ｂ）に示すように、前記壁面設置用部材２の一部（挿入部）を挿入して、固定するための開口部１Ｅが設けられている。前記開口部１Ｅは、前記設置用部材２と向かい合う面１Ｃ，１Ｄが開口し、前記第１の面１Ａに沿うように設ける。またこのとき、前記開口部１Ｅは、図３（ｂ）に示したように、前記シールドケース１０１を加工して直接設けるかわりに、樹脂等の他の材料で形成した開口部１Ｅを有する部材を前記シールドケース１０１に取り付けてもよい。
【００３８】
また、前記シールドケース１０１の前記第１の面１Ａの近傍には、例えば、図２に示したように、３つの化粧パネル３を一列に並べて取り付けることが可能な３対の化粧パネル取付部１０７Ａ，１０７Ｂ，１０７Ｃを設けておく。また、前記化粧パネル３のうち、前記受信機接続用端子１０２，１０３上に取り付ける化粧パネルは、図３（ｂ）に示したように、前記受信機接続用端子１０２，１０３が通る開口部３０１Ａと、前記受信機接続用端子１０２，１０３に同軸ケーブルを接続するための空間３０２Ａが設けられている。また、前記各化粧パネル３には、図３（ｂ）に示したような爪３０３Ａが設けられており、前記化粧パネル３を取り付けるときには、前記爪３０３Ａを前記シールドケース１０１の化粧パネル取付部１０７Ａ，１０７Ｂ，１０７Ｃに引っかけて固定する。
【００３９】
一方、前記壁面設置用部材２は、図１及び図４（ａ）に示すように、壁に固定するときに用いる開口部２０１Ａを有する固定部２Ａ及び前記直列ユニット１の開口部１Ｅに挿入する挿入部２Ｂからなる。また、前記壁面設置用部材２は、前記固定部２Ａ及び挿入部２Ｂを有する第１部材２０１と、前記第１部材２０１の挿入部２Ｂに取り付けられた第２部材２０２により構成される。このとき、前記第１部材２０１の挿入部２Ｂには、例えば、図４（ｂ）に示すように、取り付けた前記第２部材２０２を外れにくくするための切り欠き２０１Ｂ及び開口部２０１Ｃを設ける。また、前記第２部材２０２には、図４（ｃ）に示すように、前記第１部材２０１の挿入部２Ｂに設けた切り欠き２０１Ｂ及び開口部２０１Ｃと対応する突起２０２Ｂ，２０２Ｃを設けておく。またこのとき、前記第２部材２０２の厚さＴ１は、例えば、２ｍｍにする。また、例えば、前記突起２０２Ｂの表面部分に、図４（ｃ）に示したように、前記突起２０２Ｂが設けられた面から見ると色が見え、裏面から見たときには、図４（ｄ）に示すように色が見えないようにしておく。この効果については、後で説明する。
【００４０】
またこのとき、前記第２部材２０２の前記突起２０２Ｂ，２０２Ｃは、図５に示すように、前記第１部材２０１の挿入部２Ｂの第１の面２０１Ｄ側、及び第１の面２０１Ｄの裏面２０１Ｅ側のどちらからも着脱可能となる形状にする。
【００４１】
図６乃至図１４は、本実施例の壁面設置用部材付き直列ユニットを壁に取り付ける際の取り付け方法を説明するための模式図であり、図６は壁面設置用部材付き直列ユニットの正面図、図７は化粧パネルを取り付ける工程の右側面図、図８は直列ユニットを壁に設置する工程の正面図、図９は図８のＡ−Ａ’線から見た右側面図、図１０及び図１１は作用を説明するための図、図１２は化粧プレートを取り付ける工程の平面図、図１３及び図１４は効果を説明するための図で図１２のＢ−Ｂ’線から見た右側面図である。
【００４２】
本実施例の壁面設置用部材付き直列ユニットは、図６に示すように、前記直列ユニット１の開口部１Ｅに前記設置用部材２の挿入部を挿入しておく。このとき、前記各設置用部材の挿入部に取り付ける第２部材２０２は、図２に示したように、前記第１部材２０１の挿入部の同じ面に取り付けておく。
【００４３】
次に、図７に示すように、前記シールドケース１０１の第１の面１Ａ上に、化粧パネル３を取り付ける。このとき、前記化粧パネル３は、例えば、図７に示したように、３個用意して、前記受信機接続用端子１０２，１０３が設けられた領域、及び前記スイッチ１０６が設けられた領域毎に取り付ける。
【００４４】
次に、前記化粧パネル３を取り付けた前記直列ユニット１を壁４に設置する。このとき、前記直列ユニット１は、図８及び図９に示すように、前記入出力端子１０４，１０５を前記壁４の開口部４Ａから内部空間４Ｂ埋め込むように設置し、前記壁面設置用部材２を、ねじや釘で前記壁４に固定する。また、図示は省略するが、前記直列ユニット１を設置するときには、あらかじめ、前記壁４の内部空間４Ｂに敷設された同軸ケーブルを前記開口部４Ａから引き出して接続しておく。また、前記直列ユニット１を設置する際には、引き出した同軸ケーブルの余分な部分を前記壁４の内部空間４Ｂに戻してから設置する。
【００４５】
このとき、例えば、図１０に示すように、前記壁面設置用部材２の第２部材２０２を、前記第１部材２０１の挿入部２Ｂの第１の面２０１Ｄ、すなわち前記受信機接続用端子１０２，１０３から遠い方の面に取り付けていると、前記直列ユニット１（化粧パネル３）の壁４からの突出量Ｔ２は、約８ｍｍになる。また、例えば、図１１に示すように、前記壁面設置用部材２の第２部材２０２を、前記第１部材２０１の挿入部２Ｂの第２の面２０１Ｅ、すなわち前記受信機接続用端子１０２，１０３に近い方の面に取り付けていると、前記直列ユニット１（化粧パネル３）の壁４からの突出量Ｔ２’は、約１０ｍｍになる。
【００４６】
前記直列ユニット１を壁４に設置したら、最後に、図１２に示すように、化粧プレート５を被せる。このとき、被せる化粧プレートが、標準型化粧プレート５（５Ａ，５Ｂ）である場合、図１３に示すように、前記化粧プレートの壁４からの突出量Ｔ３が約８ｍｍである。そのため、図１０に示したように、前記壁面設置用部材２の第２部材２０２を、前記第１部材２０１の挿入部２Ｂの第１の面２０１Ｄに取り付けておけば、図１３に示したように、前記化粧パネル３と前記化粧プレート５Ｂの境目５Ｃに段差や隙間ができるのを防げる。
【００４７】
また、被せる化粧プレートが、ワイド型化粧プレートである場合には、図１１に示したように、前記壁面設置用部材２の第２部材２０２を付け替えればよい。図１１に示したように前記壁面設置用部材２の第２部材２０２を、前記第１部材２０１の挿入部２Ｂの第２の面２０１Ｅに取り付ければ、前記直列ユニット１（化粧パネル３）の壁４からの突出量Ｔ２’は、約１０ｍｍになる。そのため、図１４に示したように、壁からの突出量Ｔ３が１０ｍｍになる前記ワイド型化粧プレート５Ｄ，５Ｅを被せたときに、前記化粧パネル３と前記化粧プレート５Ｄ，５Ｅの境目５Ｆに段差や隙間ができるのを防ぐことができる。
【００４８】
図１５は、本実施例の壁面設置用部材付き直列ユニットの他の効果を説明するための模式図であり、図１５（ａ）は第１の面に第２部材を取り付けたときの図、図１５（ｂ）は第２の面に第２部材を取り付けたときの図である。なお、図１５（ａ）及び図１５（ｂ）は、図６に示した図を正面図としたときの裏面図である。
【００４９】
本実施例の壁面設置用部材付き直列ユニットは、前記設置用部材２の挿入部２Ｂに取り付ける第２部材２０２の取り付け方向を変えることで、壁４に設置したときの壁４からの突出量を変えることができる。このとき、前記シールドケース１０１の裏面側に、例えば、図１５（ａ）に示すように、前記第２部材２０２の突起２０２Ｂが設けられた部分が見えるような切り欠き１Ｆを設けておけば、前記壁面設置用部材２を取り外さなくても、前記第２部材２０２がどちらの方向に取り付けられているか確認することができる。ここで、例えば、図４（ｃ）に示したように前記突起２０２Ｂの表面に着色していると、前記第２部材２０２を第１部材２０１の挿入部２Ｂの第１の面２０１Ｄに取り付けた場合、着色した面は第２の面２０１Ｅの方向を向いているので、図１５（ａ）に示すように、前記シールドケース１０１の切り欠き１Ｆ部分から色を確認することはできない。一方、前記第２部材２０２を第２の面２０１Ｅに取り付けている場合は、着色した面が第１の面２０１Ｄの方向を向くので、図１５（ｂ）に示すように、前記シールドケース１０１の切り欠き１Ｆ部分から色を確認することができる。そのため、前記シールドケース１０１の切り欠き部分から見える色を確認することで、前記設置用部材２が、標準型とワイド型のどちらの化粧プレートに対応させた状態で取り付けられているかを容易に確認することができる。
【００５０】
また、図１５（ａ）及び図１５（ｂ）は、前記直列ユニット１を裏面側、すなわち前記第１の面１Ａの裏面側から見て前記壁面設置用部材２の前記第２部材２０２の取付方向を確認する例を示したが、これに限らず、前記シールドケース１０１の第１の面１Ａ側に前記切り欠き１Ｆを設けてもよい。前記第１の面１Ａ側で確認できれば、すでに壁４に設置された状態の直列ユニットに前記化粧プレートをかぶせるときに、標準型とワイド型のどちらの化粧プレートをかぶせればよいかを容易に確認することができる。ただし、前記第１の面１Ａ側で確認する場合は、前記第２部材２０２の突起２０２Ｂの色の見え方と取付方向の関係が、図１５（ａ）及び図１５（ｂ）に示した例と逆になる。
【００５１】
図１６及び図１７は、本実施例の壁面設置用部材付き直列ユニットの別の効果を説明するための模式図であり、図１６は壁面に設置して化粧プレートを被せた状態の正面図、図１７は図１６のＣ−Ｃ’線で見た右側面図である。
【００５２】
本実施例の壁面設置用部材付き直列ユニットで用いる直列ユニット１のように、前記第１の面１Ａ、すなわち前記受信機接続用端子１０２，１０３を設けた面あるいはその近傍に３対の化粧パネル取付部１０７Ａ，１０７Ｂ，１０７Ｃを設けた場合、前記各取付部に化粧パネル３を取り付ければ、図８及び図９に示したように、従来の１つの化粧パネル７と同じサイズになり、従来の化粧プレートを用いることができる。
【００５３】
しかしながら、前記化粧プレートのような部材は、前記直列ユニットを設置したときだけでなく、ＡＣコンセントや照明のスイッチ等のユニットを壁に設置するときにも用いられ、その大きさやデザイン、取り付け構造は非常によく似ている。そのため、前記化粧プレートのような部材は、前記直列ユニットを設置する場合に限定せず、他の、ＡＣコンセント等のユニットを設置するときにも流用（共用）できるようにすることが好ましい。そのため、例えば、図２５に示したような、ＡＣコンセントや照明のスイッチを設置したときに用いる化粧プレートを、前記直列ユニットを設置したときの化粧プレートに流用できることが好ましい。
【００５４】
このとき、本実施例の直列ユニットのように、３つの化粧パネル３を並べて取り付けることができるようにしておけば、図１６及び図１７に示すように、前記３つの化粧パネル３のうち中央の化粧パネル３をはずせば、図２５に示したような２つ穴の化粧パネル６（６Ａ，６Ｂ）を利用することも可能になる。
【００５５】
以上説明したように、本実施例の壁面設置用部材付き直列ユニットによれば、１つの壁面取付用部材２で、前記直列ユニット（化粧パネル）の壁からの突出量を２通りに設定することができる。そのため、一般に用いられている標準型及びワイド型の両方の化粧プレートのどちらでも、前記化粧パネル３と前記化粧プレート５の境目に段差や隙間が生じるのを防ぐことができる。
【００５６】
また、本実施例の壁面設置用部材付き直列ユニットのように、３つの化粧パネル３に取付可能な取付部を設けることにより、例えば、ＡＣ電源のコンセント用の化粧プレートのような２つ穴の化粧プレートも用いることができ、各部品の流用性（汎用性）が高くなる。
【００５７】
図１８は、前記実施例の応用例を説明するための模式図であり、図１８（ａ）は直列ユニットの右側面図、図１８（ｂ）は直列ユニットの裏面図である。
【００５８】
前記実施例では、前記入出力端子１０４，１０５が、図２に示したように、シールドケース１０１の第２の面１Ｂに固定されている直列ユニット１を例に挙げて説明したが、これに限らず、例えば、図１８（ａ）及び図１８（ｂ）に示すように、前記入出力端子１０４，１０５が、中心導体の同心軸（中心軸）と直交する軸を回転軸として９０度可動（回転）するような直列ユニット１を用いてもよい（例えば、特願２００２−１９２４１０を参照。）。図１８（ａ）及び図１８（ｂ）に示したような前記入出力端子が回転する直列ユニット１の場合、前記壁４の内部空間４Ｂに敷設した同軸ケーブルを接続するときには、前記入出力端子１０４，１０５を立てれば、端子の周囲に障害物が無く、同軸ケーブルを接続しやすい。また、前記同軸ケーブルを接続した直列ユニット１を壁４に設置するときには、前記入出力端子１０４，１０５をたたんだ状態にすれば、従来の直列ユニット１と同じ状態になるので、壁４の内部空間４Ｂで同軸ケーブルが邪魔にならず、容易に壁に取り付けることができる。
【００５９】
図１９は、前記実施例の他の応用例を説明するための模式図であり、受信機接続用端子が１つの直列ユニットの右側面図である。
【００６０】
前記実施例では、２つの受信機接続用端子１０２，１０３が設けられた直列ユニット１を例に挙げて説明したが、これに限らず、図１９に示したように、受信機接続用端子１０２が１つの直列ユニット１を用いてもよいことはいうまでもない。この場合、前記実施例で説明した受信機接続用端子１０３が設けられていた部分の端子が無くなるので、その場所に相当する部分に、前記フィルタースイッチ１０６上に取り付ける化粧パネル３と同じ型の化粧パネルを取り付ければよい。
【００６１】
以上、本発明を、前記実施例に基づき具体的に説明したが、本発明は、前記実施例に限定されるものではなく、その要旨を逸脱しない範囲において、種々変更可能であることはもちろんである。
【００６２】
例えば、前記実施例では、例えば、図７に示したように、３つの前記化粧パネル３を取り付ける例を示したが、これに限らず、例えば、図２０に示したような、１つの化粧パネルを用いてもよいことは言うまでもない。
【００６３】
また、前記実施例では、前記壁面設置用部材２に取り付ける第２部材２０２の取り付け方向を変えることで、壁に設置したときの、前記受信機接続用端子１０２，１０３の突出量を切り替えたが、例えば、前記直列ユニット１の開口部１Ｅを２段にしても、同様の効果が得られる。また、それらを組み合わせれば、前記受信機接続用端子１０２，１０３の突出量の３通り以上の切り替えあるいは無段階調節等も可能である。
【産業上の利用可能性】
【００６４】
前記実施例では、直列ユニットを壁に設置する方法を説明しているが、直列ユニットに限らず、例えば、ＡＣコンセントや照明のスイッチ等、前記直列ユニットと同じような壁面設置用部材を用いて、同じような方法で壁に設置するユニットにも適用することができる。
【図面の簡単な説明】
【００６５】
【図１】本発明による一実施例の壁面設置用部材付き直列ユニットの概略構成を示す模式図であり、壁面設置用部材付き直列ユニットの構成を示す分解正面図である。
【図２】本発明による一実施例の壁面設置用部材付き直列ユニットの概略構成を示す模式図であり、図１の右側面図である。
【図３】本発明による一実施例の壁面設置用部材付き直列ユニットの概略構成を示す模式図であり、図３（ａ）は図１に示した直列ユニットの裏面図、図３（ｂ）は図１に示した直列ユニットの上面図である。
【図４】本発明による一実施例の壁面設置用部材付き直列ユニットの概略構成を示す模式図であり、図４（ａ）は壁面設置用部材の構成を示す正面図及び右側面図、図４（ｂ）は壁面設置用部材の第１部材の正面図及び右側面図、図４（ｃ）は壁面設置用部材の第２部材の正面図及び右側面図、図４（ｄ）は図４（ｃ）の正面図に対する裏面図である。
【図５】本発明による一実施例の壁面設置用部材付き直列ユニットの概略構成を示す模式図であり、壁面設置用部材の作用を説明するための模式図である。
【図６】本実施例の壁面設置用部材付き直列ユニットを壁に取り付ける際の取り付け方法を説明するための模式図であり、壁面設置用部材付き直列ユニットの正面図である。
【図７】本実施例の壁面設置用部材付き直列ユニットを壁に取り付ける際の取り付け方法を説明するための模式図であり、化粧パネルを取り付ける工程の右側面図である。
【図８】本実施例の壁面設置用部材付き直列ユニットを壁に取り付ける際の取り付け方法を説明するための模式図であり、直列ユニットを壁に設置する工程の正面図である。
【図９】本実施例の壁面設置用部材付き直列ユニットを壁に取り付ける際の取り付け方法を説明するための模式図であり、図８のＡ−Ａ’線から見た右側面図である。
【図１０】本実施例の壁面設置用部材付き直列ユニットを壁に取り付ける際の取り付け方法を説明するための模式図であり、作用を説明するための図である。
【図１１】本実施例の壁面設置用部材付き直列ユニットを壁に取り付ける際の取り付け方法を説明するための模式図であり、作用を説明するための図である。
【図１２】本実施例の壁面設置用部材付き直列ユニットを壁に取り付ける際の取り付け方法を説明するための模式図であり、化粧プレートを取り付ける工程の正面図である。
【図１３】本実施例の壁面設置用部材付き直列ユニットを壁に取り付ける際の取り付け方法を説明するための模式図であり、効果を説明するための図である。
【図１４】本実施例の壁面設置用部材付き直列ユニットを壁に取り付ける際の取り付け方法を説明するための模式図であり、効果を説明するための図である。
【図１５】本実施例の壁面設置用部材付き直列ユニットの他の効果を説明するための模式図であり、図１５（ａ）は第１の面に第２部材を取り付けたときの図、図１５（ｂ）は第２の面に第２部材を取り付けたときの図である。
【図１６】本実施例の壁面設置用部材付き直列ユニットの別の効果を説明するための模式図であり、壁面に設置して化粧プレートをかぶせた状態の正面図である。
【図１７】本実施例の壁面設置用部材付き直列ユニットの別の効果を説明するための模式図であり、図１６のＣ−Ｃ’線から見た右側面図である。
【図１８】前記実施例の応用例を説明するための模式図であり、図１８（ａ）は直列ユニットの右側面図、図１８（ｂ）は直列ユニットの裏面図である。
【図１９】前記実施例の他の応用例を説明するための模式図であり、受信機接続用端子が１つの直列ユニットの右側面図である。
【図２０】従来の壁面設置用部材付き直列ユニットの概略構成を示す模式図である。
【図２１】従来の壁面設置用部材付き直列ユニットの概略構成を示す模式図であり、図２０の右側面から見た分解図である。
【図２２】従来の壁面設置用部材付き直列ユニットの概略構成を示す模式図であり、図２０の右側面図である。
【図２３】従来の壁面設置用部材付き直列ユニットを壁に取り付けたときの模式図である。
【図２４】従来の壁面設置用部材付き直列ユニットの問題点を説明するための模式図である。
【図２５】従来の壁面設置用部材付き直列ユニットの問題点を説明するための模式図である。
【図２６】従来の壁面設置用部材付き直列ユニットの問題点を説明するための模式図である。
【符号の説明】
【００６６】
１…直列ユニット、１０１…シールドケース、１０２，１０３…受信機接続用端子、１０４，１０５…入出力端子、１０６…フィルタースイッチ、１０７Ａ，１０７Ｂ，１０７Ｃ…化粧パネル取付部、１Ａ…シールドケースの第１の面、１Ｂ…シールドケースの第２の面、１Ｃ，１Ｄ…シールドケースの壁面設置用部材と向かい合う面、１Ｅ…壁面設置用部材を挿入する開口部、
２…壁面設置用部材、２０１…第１部材、２０２…第２部材、２Ａ…固定部、２Ｂ…挿入部、２０１Ｄ…第１部材の挿入部の第１の面、２０１Ｅ…第１部材の挿入部の第２の面、２０２Ｂ，２０２Ｃ…第２部材の突起、
３…化粧パネル、４…壁、４Ａ…壁の開口部、５…化粧プレート、５Ａ，５Ｂ…標準型化粧プレート、５Ｄ，５Ｅ…ワイド型化粧プレート、５Ｃ，５Ｆ…化粧パネルと化粧プレートの境目、６…２つ穴の化粧プレート、７…従来の化粧パネル、８…従来の壁面設置用部材。
【図１】
2005038745.tif 000003
【図２】
2005038745.tif 000004
【図３】
2005038745.tif 000005
【図４】
2005038745.tif 000006
【図５】
2005038745.tif 000007
【図６】
2005038745.tif 000008
【図７】
2005038745.tif 000009
【図８】
2005038745.tif 000010
【図９】
2005038745.tif 000011
【図１０】
2005038745.tif 000012
【図１１】
2005038745.tif 000013
【図１２】
2005038745.tif 000014
【図１３】
2005038745.tif 000015
【図１４】
2005038745.tif 000016
【図１５】
2005038745.tif 000017
【図１６】
2005038745.tif 000018
【図１７】
2005038745.tif 000019
【図１８】
2005038745.tif 000020
【図１９】
2005038745.tif 000021
【図２０】
2005038745.tif 000022
【図２１】
2005038745.tif 000023
【図２２】
2005038745.tif 000024
【図２３】
2005038745.tif 000025
【図２４】
2005038745.tif 000026
【図２５】
2005038745.tif 000027
【図２６】
2005038745.tif 000028